(57)【要約】  箱状部品１の一側面に設けられた位置決め係合部３と、シャーシ２の一方の側板部に設けられ、位置決め係合部３と係合するシャーシ側係合部４と、シャーシ２のもう一方の側板部に設けられ、箱状部品１をシャーシ２の一方の側板部側および底板部側にそれぞれ付勢する弾性部５とを備えた。
2012131778.tif 000002
【特許請求の範囲】
【請求項１】
底板部と前記底板部の両側に相互に対向して設けられた側板部とを有するシャーシと、前記シャーシの側板部間に保持固定される箱状部品とを備えた箱状部品固定構造において、
前記箱状部品の一側面に設けられた位置決め係合部と、
前記シャーシの一方の側板部に設けられ、前記位置決め係合部と係合するシャーシ側係合部と、
前記シャーシのもう一方の側板部に設けられ、前記箱状部品を前記シャーシの一方の側板部側および前記底板部側にそれぞれ付勢する弾性部と
を備えたことを特徴とする箱状部品固定構造。
【請求項２】
前記位置決め係合部は、前記箱状部品の一側面に設けられた孔部であり、
前記シャーシ側係合部は、前記底板部側が先端に向けて細くなるテーパ状の突起部である
ことを特徴とする請求項１記載の箱状部品固定構造。
【請求項３】
前記シャーシ側係合部は、前記シャーシの一方の側板部に設けられた孔部であり、
前記位置決め係合部は、前記シャーシの底板部に面する側が先端に向けて細くなるテーパ状の突起部である
ことを特徴とする請求項１記載の箱状部品固定構造。
【請求項４】
前記底板部の前記シャーシ側係合部側に突出して設けられ、前記箱状部品の前記底板部に対向する面に当接して、前記位置決め係合部を当該シャーシ側係合部側にガイドする第１下受け部と、
前記底板部の前記弾性部側に突出して設けられ、当該弾性部により付勢された箱状部品を前記底板部側から支持する第２下受け部とを備えた
ことを特徴とする請求項１記載の箱状部品固定構造。
【請求項５】
前記箱状部品に設けられ、前記弾性部と係合して前記シャーシの底板部間における当該箱状部品の位置を決める係合凹部を備えた
ことを特徴とする請求項１記載の箱状部品固定構造。
【請求項６】
前記箱状部品の前記底板部に対向する面に設けられた第２位置決め係合部と、
前記底板部に設けられ、前記第２位置決め係合部と係合する第２シャーシ側係合部とを備えた
ことを特徴とする請求項１記載の箱状部品固定構造。
【請求項７】
前記シャーシ側係合部を有する側板部に設けられ、前記箱状部品の側面に当接して、前記箱状部品を前記シャーシに収納する方向にガイドするガイド板部を備えた
ことを特徴とする請求項１記載の箱状部品固定構造。
【請求項８】
前記弾性部を前記箱状部品側に押さえ付けて、前記シャーシの側板部間に保持固定された当該箱状部品を覆う天板部を備えた
ことを特徴とする請求項１記載の箱状部品固定構造。
【発明の詳細な説明】
【技術分野】
【０００１】
この発明は、箱状部品をシャーシに固定する箱状部品固定構造に関するものである。
【背景技術】
【０００２】
従来から、箱状部品（例えば映像・音楽再生装置等）をシャーシに固定する場合には、複数のブラケットおよびネジを用いている。具体的には、箱状部品の対向する２側面に位置決めおよびネジ固定用の位置決め孔部が形成されており、まず、この両側面に対して、別々のブラケットを取り付けて、ネジで固定する。その後、このブラケットをシャーシに取り付けて、ネジで固定することで、箱状部品をシャーシに固定している。
また、箱状部品に複数のカムピンを設け、カムピンと係合する案内溝を有する上下部シャーシで箱状部品を挟み込み、固定する方法もある（例えば特許文献１参照）。この特許文献１に開示された箱状部品固定構造では、下部シャーシに、上方に開口した直線状の案内溝を形成し、上部シャーシに、下方に開口した略Ｌ字型の案内溝を形成している。そして、下部シャーシの案内溝に箱状部品のカムピンを係合させた後、上部シャーシを被せてスライドさせることで、上部シャーシの案内溝とカムピンとを係合させている。
【先行技術文献】
【特許文献】
【０００３】
【特許文献１】実開平６−５２０５９号公報
【発明の概要】
【発明が解決しようとする課題】
【０００４】
しかしながら、従来の箱状部品固定構造では、ブラケットを取り付ける際に箱状部品を反転する必要があり、また、複数のブラケットやネジを用いているため、組み立て工数が多くなる。そのため、組み立て時間がかかるという課題があった。
また、特許文献１に開示された箱状部品固定構造においても、複数のシャーシを用いて固定を行っているため、部品点数が多いという課題があった。また、カムピンと案内溝との係合のみでは固定として不十分であり、ネジ止めを行う必要がある。そのため、組み立て時間がかかるという課題があった。【０００５】
この発明は、上記のような課題を解決するためになされたもので、部品点数を削減し、ネジを用いずに箱状部品をシャーシに固定することで、組み立て時間の削減を図ることができる箱状部品固定構造を提供することを目的としている。
【課題を解決するための手段】
【０００６】
この発明に係る箱状部品固定構造は、箱状部品の一側面に設けられた位置決め係合部と、シャーシの一方の側板部に設けられ、位置決め係合部と係合するシャーシ側係合部と、シャーシのもう一方の側板部に設けられ、箱状部品をシャーシの一方の側板部側および底板部側にそれぞれ付勢する弾性部とを備えたものである。
【発明の効果】
【０００７】
この発明によれば、上記のように構成したので、部品点数を削減し、ネジを用いずに箱状部品をシャーシに固定することで、組み立て時間の削減を図ることができる。
【図面の簡単な説明】
【０００８】
【図１】この発明の実施の形態１に係る箱状部品固定構造を示す分解斜視図である。
【図２】図１に示すシャーシの第２側板部側からの斜視図である。
【図３】この発明の実施の形態１における位置決め係合突起の構成を示す模式図である。
【図４】この発明の実施の形態１における箱状部品のシャーシへの固定を説明する断面図であり、（ａ）箱状部品の収納前を示す断面図であり、（ｂ）箱状部品の収納後を示す断面図である。
【図５】この発明の実施の形態２における箱状部品の構成を示す斜視図である。
【図６】この発明の実施の形態２における箱状部品のシャーシへの固定を説明する斜視図である。
【図７】この発明の実施の形態３における箱状部品の構成を示す設置面側からの斜視図である。
【図８】この発明の実施の形態３におけるシャーシの構成を示す斜視図であり、（ａ）第１側板部側からの斜視図であり、（ｂ）第２側板部側からの斜視図である。
【図９】この発明の実施の形態３における箱状部品のシャーシへの固定を説明する斜視図である。
【図１０】この発明の実施の形態４におけるシャーシの構成を示す斜視図である。
【図１１】この発明の実施の形態４における箱状部品のシャーシへの固定を説明する斜視図である。
【図１２】この発明の実施の形態５における箱状部品のシャーシへの固定を説明する断面図である。
【発明を実施するための形態】
【０００９】
以下、この発明の実施の形態について図面を参照しながら詳細に説明する。
実施の形態１．
箱状部品固定構造は、図１に示すように、箱状部品１およびシャーシ２から構成されている。
箱状部品１は、例えば映像・音楽再生装置等の装置である。この箱状部品１の一側面の所定箇所には、位置決めおよびネジ固定用の位置決め孔部（位置決め係合部）３が形成されている。なお、この位置決め孔部３は、箱状部品１に元々形成されている穴や窪み等を利用してもよいし、新たに加工するようにしてもよい。
【００１０】
一方、シャーシ２は、図１，２に示すように、底板部と、底板部に両側に相互に対向した第１，２側板部とを有する略コの字型形状に形成された板金部材であり、シャーシ２に収納された箱状部品１を保持固定するものである。シャーシ２の第１側板部には、位置決め孔部３と係合する位置決め突起部（シャーシ側係合部）４が形成されている。なお、位置決め突起部４は、第１側板部から切り起こされて形成されている。また、位置決め突起部４は、図２，３に示すように、シャーシ２の底板部側（位置決め突起部４の下側）が先端に向けて細くなるテーパ状４ａに形成されている。
【００１１】
また、図１，２に示すように、シャーシ２の第２側板部には、弾性部５が形成されている。この弾性部５は、第２側板部から切り起こされて形成されており、シャーシ２に収納された箱状部品１を第１側板部側および底板部側にそれぞれ付勢するものである。
また、シャーシ２の底板部の位置決め突起部４側には、箱状部品１のシャーシ２の底板部に対向する面に当接して、位置決め孔部３を位置決め突起部４側にガイドする第１下受け部６が突出して形成されている。また、シャーシ２の底板部の弾性部５側には、弾性部５により付勢された箱状部品１を、底板部側から支持する第２下受け部７が形成されている。
【００１２】
なお図では、位置決め突起部４、弾性部５および第１，２下受け部６，７をそれぞれ２箇所ずつ設けた場合について示しているが、これに限るものではなく、箱状部品１の構成等に応じて、個数や配置箇所等は適宜変更可能である。
【００１３】
次に、上記のように構成されたシャーシ２に箱状部品１を固定する方法について説明する。
箱状部品１をシャーシ２に固定する場合には、まず、図４（ａ）に示すように、箱状部品１を傾けて位置決め孔部３が下方側となるようし、この位置決め孔部３を位置決め突起部４に合わせる。この際、シャーシ２に第１下受け部６が設けられているため、位置決め孔部３が位置決め突起部４より下側にずれてしまうように箱状部品１が入り込むことを防ぎ、位置決め孔部３を位置決め突起部４に容易に合わせることができる。
【００１４】
次いで、位置決め突起部４の根元側に位置決め孔部３を嵌め込むようにして、箱状部品１をシャーシ２に収納する。この際、位置決め突起部４の下側がテーパ状４ａに形成されているため、箱状部品１がシャーシ２に対して傾いた状態であっても、位置決め孔部３を位置決め突起部４に容易に嵌め込むことができる。また、位置決め孔部３が位置決め突起部４の根元側に嵌まっていくことで、両者の係合関係が強まり、箱状部品１の位置決めを行うことができる。
【００１５】
その後、箱状部品１の弾性部５側が、弾性部５によってシャーシ２の第１側板部側および底板部側にそれぞれ付勢される。これにより、図４（ｂ）の上下方向に対しては、箱状部品１が位置決め孔部３・位置決め突起部４間の係合および弾性部５・第２下受け部７間の支持によって保持される。また、前後方向に対しては、箱状部品１が位置決め孔部３・位置決め突起部４間の係合によって保持される。また、左右方向に対しては、箱状部品１が第１側板部・弾性部５間の支持によって保持される。そのため、ネジを用いることなく、箱状部品１をシャーシ２に固定することができる。
【００１６】
以上のように、この実施の形態１によれば、シャーシ２の第１側板部に、箱状部品１に形成された位置決め孔部３と係合する位置決め突起部４を形成し、第１側板部と対向する第２側板部に、収納された箱状部品を第１側板部側および底板部側にそれぞれ付勢する弾性部５を形成したので、シャーシ２のみで箱状部品１を固定することができ、ブラケットやネジは不要となるため、部品点数を削減することができる。また、ネジを一切用いることなく固定を行うことができるため、固定する際に何度も箱状部品１の向きを変えてネジ締めを行う必要はなくなり、組み立て工数を削減することができる。そのため、組み立て時間を削減することができる。
【００１７】
なお、実施の形態１では、位置決め係合部は、箱状部品１に形成された位置決め孔部３であり、シャーシ側係合部は、シャーシ２に形成された位置決め突起部４であるとして説明を行ったが、位置決め係合部として、箱状部品１に位置決め突起部を形成し、シャーシ側係合部として、シャーシ２に、この位置決め突起部と係合する位置決め孔部を形成するようにしてもよい。また、箱状部品１に形成された位置決め突起部は、シャーシ２の底板部に面する側が先端に向けて細くなるテーパ状とする。
【００１８】
実施の形態２．
実施の形態２では、収納された箱状部品１を弾性部５と係合させて、位置決めを行う構造について示す。なお、実施の形態２におけるシャーシ２の構成は、図１，２に示す実施の形態１におけるシャーシ２の構成と同様であり、その説明を省略する。
【００１９】
箱状部品１の弾性部５側には、図５に示すように、弾性部５と係合し、シャーシ２の側板部間における箱状部品１の位置を決める係合凹部８が形成されている。これにより、図６に示すように、箱状部品１がシャーシ２に収納された際に弾性部５と係合凹部８とが係合される。そのため、図６の前後方向に対しては、箱状部品１が位置決め孔部３・位置決め突起部４間の係合および弾性部５・係合凹部８間の係合によって保持される。
【００２０】
以上のように、この実施の形態２によれば、箱状部品１に、弾性部５と係合し、シャーシ２の側板部間における箱状部品１の位置を決める係合凹部８を形成したので、実施の形態１における効果に加えて、より安定した固定を行うことができる。
【００２１】
実施の形態３．
実施の形態３では、箱状部品１の設置面とシャーシ２の底板部とで箱状部品１を位置決めする構造について示す。
箱状部品１の設置面には、図７に示すように、位置決め孔部（第２位置決め係合部）９が形成されている。なお、この位置決め孔部９は、箱状部品１に元々形成されている穴や窪み等を利用してもよいし、新たに加工するようにしてもよい。
また、シャーシ２の第１，２下受け部６，７には、図８に示すように、位置決め孔部９と係合する位置決め凸部（第２シャーシ側係合部）１０が形成されている。
これにより、図９に示すように、箱状部品１がシャーシ２に収納された際に、位置決め孔部９と位置決め凸部１０とが係合され、箱状部品１を位置決めすることができる。
【００２２】
以上のように、この実施の形態３によれば、第１，２下受け部６，７に、箱状部品１の設置面に形成された位置決め孔部９と係合する位置決め凸部１０を形成したので、実施の形態１における効果に加えて、より安定した固定を行うことができる。
【００２３】
なお、実施の形態３では、第２位置決め係合部は、箱状部品１の設置面に形成された位置決め孔部９であり、第２シャーシ側係合部は、第１，２下受け部６，７に形成された位置決め凸部１０であるとして説明を行ったが、第２位置決め係合部として、箱状部品１に位置決め凸部を形成し、第２シャーシ側係合部として、第１，２下受け部６，７に、この位置決め凸部と係合する位置決め孔部を形成するようにしてもよい。
また、実施の形態３では、第１，２下受け部６，７に位置決め凸部（第２シャーシ側係合部）１０を形成する場合について示したが、第１，２下受け部６，７上ではなく、シャーシ２の底板部上に第２シャーシ側係合部を形成してもよい。
【００２４】
実施の形態４．
実施の形態４では、箱状部品１をシャーシ２に収納する際に箱状部品１をガイドする形状を設けた構造について示す。なお、実施の形態４における箱状部品１の構成は、図１に示す実施の形態１における箱状部品１の構成と同様であり、その説明を省略する。
【００２５】
シャーシ２の第１側板部には、図１０に示すように、箱状部品１の側面に当接して、箱状部品１をシャーシ２に収納する方向（図１０の前後方向）にガイドするガイド部１１が形成されている。このガイド部１１は、第１側板部から切り起こされて形成され、先端側には、外側に折り曲げられた折り曲げ部１１ａが形成されている。
これにより、図１１に示すように、箱状部品１をシャーシ２に収納する際に、箱状部品１の前後方向に対する位置決めを容易に行うことができ、位置決め孔部３を位置決め突起部４に容易に係合させることができる。また、折り曲げ部１１ａを形成して、ガイド部１１の先端側を幅広にすることで、箱状部品１をガイド部１１側に導きやすくすることができる。また、ガイド部１１によって、収納後に、箱状部品１が前後方向にずれることを防止することができる。
【００２６】
以上のように、この実施の形態４によれば、シャーシ２の第１側板部に、箱状部品１の側面に当接して、箱状部品１をシャーシ２に収納する方向にガイドするガイド部１１を形成したので、実施の形態１における効果に加えて、箱状部品１のシャーシ２への収納がさらに容易となる。また、ガイド部１１によって、収納後に箱状部品１を位置決めすることができるため、より安定した固定を行うことができる。
【００２７】
実施の形態５．
実施の形態５では、箱状部品１がシャーシ２の側板部間に保持固定された後、弾性部５を上から押さえ付けて弾性をなくすことで、箱状部品１を堅固に固定する構造について示す。なお、実施の形態５における箱状部品１およびシャーシ２の構成は、図１に示す実施の形態１における箱状部品１およびシャーシ２の構成と同様であり、その説明を省略する。
【００２８】
箱状部品１を保持固定したシャーシ２の上部には、図１２に示すように、天板部１２が覆い被せられ、ネジ等により固定されている。この天板部１２は、弾性部５を箱状部品１側に押さえ付けることで、弾性部５の弾性をなくすものである。これにより、振動等に伴う弾性部５の弾性によって箱状部品１が上下方向にがたつくことがなくなり、箱状部品１を強固に固定することができる。
【００２９】
以上のように、この実施の形態５によれば、弾性部５を箱状部品１側に押さえ付けて、シャーシ２の側板部間に保持固定された箱状部品１を覆う天板部１２をさらに設けたので、実施の形態１における効果に加えて、箱状部品１を堅固に固定することができる。
【００３０】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００３１】
この発明に係る箱状部品固定構造は、部品点数を削減し、ネジを用いずに箱状部品を固定することで、組み立て時間の削減を図ることができ、箱状部品をシャーシに固定する箱状部品固定構造等に用いるのに適している。
【符号の説明】
【００３２】
１  箱状部品、２  シャーシ、３  位置決め孔部（位置決め係合部）、４  位置決め突起部（シャーシ側係合部）、４ａ  テーパ状、５  弾性部、６  第１下受け部、７  第２下受け部、８  係合凹部、９  位置決め孔部（第２位置決め係合部）、１０  位置決め凸部（第２シャーシ側係合部）、１１  ガイド部、１１ａ  折り曲げ部、１２  天板部。
【図１】
2012131778.tif 000003
【図２】
2012131778.tif 000004
【図３】
2012131778.tif 000005
【図４】
2012131778.tif 000006
【図５】
2012131778.tif 000007
【図６】
2012131778.tif 000008
【図７】
2012131778.tif 000009
【図８】
2012131778.tif 000010
【図９】
2012131778.tif 000011
【図１０】
2012131778.tif 000012
【図１１】
2012131778.tif 000013
【図１２】
2012131778.tif 000014
【手続補正書】
【提出日】平成25年2月19日(2013.2.19)
【手続補正１】
【補正対象書類名】明細書
【補正対象項目名】全文
【補正方法】変更
【補正の内容】
【発明の詳細な説明】
【技術分野】
【０００１】
この発明は、箱状部品をシャーシに固定する箱状部品固定構造に関するものである。
【背景技術】
【０００２】
従来から、箱状部品（例えば映像・音楽再生装置等）をシャーシに固定する場合には、複数のブラケットおよびネジを用いている。具体的には、箱状部品の対向する２側面に位置決めおよびネジ固定用の位置決め孔部が形成されており、まず、この両側面に対して、別々のブラケットを取り付けて、ネジで固定する。その後、このブラケットをシャーシに取り付けて、ネジで固定することで、箱状部品をシャーシに固定している。
また、箱状部品に複数のカムピンを設け、カムピンと係合する案内溝を有する上下部シャーシで箱状部品を挟み込み、固定する方法もある（例えば特許文献１参照）。この特許文献１に開示された箱状部品固定構造では、下部シャーシに、上方に開口した直線状の案内溝を形成し、上部シャーシに、下方に開口した略Ｌ字型の案内溝を形成している。そして、下部シャーシの案内溝に箱状部品のカムピンを係合させた後、上部シャーシを被せてスライドさせることで、上部シャーシの案内溝とカムピンとを係合させている。
【先行技術文献】
【特許文献】
【０００３】
【特許文献１】実開平６−５２０５９号公報
【発明の概要】
【発明が解決しようとする課題】
【０００４】
しかしながら、従来の箱状部品固定構造では、ブラケットを取り付ける際に箱状部品を反転する必要があり、また、複数のブラケットやネジを用いているため、組み立て工数が多くなる。そのため、組み立て時間がかかるという課題があった。
また、特許文献１に開示された箱状部品固定構造においても、複数のシャーシを用いて固定を行っているため、部品点数が多いという課題があった。また、カムピンと案内溝との係合のみでは固定として不十分であり、ネジ止めを行う必要がある。そのため、組み立て時間がかかるという課題があった。
【０００５】
この発明は、上記のような課題を解決するためになされたもので、部品点数を削減し、ネジを用いずに箱状部品をシャーシに固定することで、組み立て時間の削減を図ることができる箱状部品固定構造を提供することを目的としている。
【課題を解決するための手段】
【０００６】
この発明に係る箱状部品固定構造は、箱状部品の一側面に設けられた位置決め係合部と、シャーシの一方の側板部に設けられ、位置決め係合部と係合するシャーシ側係合部と、シャーシのもう一方の側板部に設けられ、箱状部品をシャーシの一方の側板部側および底板部側にそれぞれ付勢する弾性部とを備えたものである。
【発明の効果】
【０００７】
この発明によれば、上記のように構成したので、部品点数を削減し、ネジを用いずに箱状部品をシャーシに固定することで、組み立て時間の削減を図ることができる。
【図面の簡単な説明】
【０００８】
【図１】この発明の実施の形態１に係る箱状部品固定構造を示す分解斜視図である。
【図２】図１に示すシャーシの第２側板部側からの斜視図である。
【図３】この発明の実施の形態１における位置決め係合突起の構成を示す模式図である。
【図４】この発明の実施の形態１における箱状部品のシャーシへの固定を説明する断面図であり、（ａ）箱状部品の収納前を示す断面図であり、（ｂ）箱状部品の収納後を示す断面図である。
【図５】この発明の実施の形態２における箱状部品の構成を示す斜視図である。
【図６】この発明の実施の形態２における箱状部品のシャーシへの固定を説明する斜視図である。
【図７】この発明の実施の形態３における箱状部品の構成を示す設置面側からの斜視図である。
【図８】この発明の実施の形態３におけるシャーシの構成を示す斜視図であり、（ａ）第１側板部側からの斜視図であり、（ｂ）第２側板部側からの斜視図である。
【図９】この発明の実施の形態３における箱状部品のシャーシへの固定を説明する斜視図である。
【図１０】この発明の実施の形態４におけるシャーシの構成を示す斜視図である。
【図１１】この発明の実施の形態４における箱状部品のシャーシへの固定を説明する斜視図である。
【図１２】この発明の実施の形態５における箱状部品のシャーシへの固定を説明する断面図である。
【発明を実施するための形態】
【０００９】
以下、この発明の実施の形態について図面を参照しながら詳細に説明する。
実施の形態１．
箱状部品固定構造は、図１に示すように、箱状部品１およびシャーシ２から構成されている。
箱状部品１は、例えば映像・音楽再生装置等の装置である。この箱状部品１の一側面の所定箇所には、位置決めおよびネジ固定用の位置決め孔部（位置決め係合部）３が形成されている。なお、この位置決め孔部３は、箱状部品１に元々形成されている穴や窪み等を利用してもよいし、新たに加工するようにしてもよい。
【００１０】
一方、シャーシ２は、図１，２に示すように、底板部と、底板部に両側に相互に対向した第１，２側板部とを有する略コの字型形状に形成された板金部材であり、シャーシ２に収納された箱状部品１を保持固定するものである。シャーシ２の第１側板部には、位置決め孔部３と係合する位置決め突起部（シャーシ側係合部）４が形成されている。なお、位置決め突起部４は、第１側板部から切り起こされて形成されている。また、位置決め突起部４は、図２，３に示すように、シャーシ２の底板部側（位置決め突起部４の下側）が先端に向けて細くなるテーパ状４ａに形成されている。
【００１１】
また、図１，２に示すように、シャーシ２の第２側板部には、弾性部５が形成されている。この弾性部５は、第２側板部から切り起こされて形成されており、シャーシ２に収納された箱状部品１を第１側板部側および底板部側にそれぞれ付勢するものである。
また、シャーシ２の底板部の位置決め突起部４側には、箱状部品１のシャーシ２の底板部に対向する面に当接して、位置決め孔部３を位置決め突起部４側にガイドする第１下受け部６が突出して形成されている。また、シャーシ２の底板部の弾性部５側には、弾性部５により付勢された箱状部品１を、底板部側から支持する第２下受け部７が形成されている。
【００１２】
なお図では、位置決め突起部４、弾性部５および第１，２下受け部６，７をそれぞれ２箇所ずつ設けた場合について示しているが、これに限るものではなく、箱状部品１の構成等に応じて、個数や配置箇所等は適宜変更可能である。
【００１３】
次に、上記のように構成されたシャーシ２に箱状部品１を固定する方法について説明する。
箱状部品１をシャーシ２に固定する場合には、まず、図４（ａ）に示すように、箱状部品１を傾けて位置決め孔部３が下方側となるようし、この位置決め孔部３を位置決め突起部４に合わせる。この際、シャーシ２に第１下受け部６が設けられているため、位置決め孔部３が位置決め突起部４より下側にずれてしまうように箱状部品１が入り込むことを防ぎ、位置決め孔部３を位置決め突起部４に容易に合わせることができる。
【００１４】
次いで、位置決め突起部４の根元側に位置決め孔部３を嵌め込むようにして、箱状部品１をシャーシ２に収納する。この際、位置決め突起部４の下側がテーパ状４ａに形成されているため、箱状部品１がシャーシ２に対して傾いた状態であっても、位置決め孔部３を位置決め突起部４に容易に嵌め込むことができる。また、位置決め孔部３が位置決め突起部４の根元側に嵌まっていくことで、両者の係合関係が強まり、箱状部品１の位置決めを行うことができる。
【００１５】
その後、箱状部品１の弾性部５側が、弾性部５によってシャーシ２の第１側板部側および底板部側にそれぞれ付勢される。これにより、図４（ｂ）の上下方向に対しては、箱状部品１が位置決め孔部３・位置決め突起部４間の係合および弾性部５・第２下受け部７間の支持によって保持される。また、前後方向に対しては、箱状部品１が位置決め孔部３・位置決め突起部４間の係合によって保持される。また、左右方向に対しては、箱状部品１が第１側板部・弾性部５間の支持によって保持される。そのため、ネジを用いることなく、箱状部品１をシャーシ２に固定することができる。
【００１６】
以上のように、この実施の形態１によれば、シャーシ２の第１側板部に、箱状部品１に形成された位置決め孔部３と係合する位置決め突起部４を形成し、第１側板部と対向する第２側板部に、収納された箱状部品を第１側板部側および底板部側にそれぞれ付勢する弾性部５を形成したので、シャーシ２のみで箱状部品１を固定することができ、ブラケットやネジは不要となるため、部品点数を削減することができる。また、ネジを一切用いることなく固定を行うことができるため、固定する際に何度も箱状部品１の向きを変えてネジ締めを行う必要はなくなり、組み立て工数を削減することができる。そのため、組み立て時間を削減することができる。
【００１７】
なお、実施の形態１では、位置決め係合部は、箱状部品１に形成された位置決め孔部３であり、シャーシ側係合部は、シャーシ２に形成された位置決め突起部４であるとして説明を行ったが、位置決め係合部として、箱状部品１に位置決め突起部を形成し、シャーシ側係合部として、シャーシ２に、この位置決め突起部と係合する位置決め孔部を形成するようにしてもよい。また、箱状部品１に形成された位置決め突起部は、シャーシ２の底板部に面する側が先端に向けて細くなるテーパ状とする。
【００１８】
実施の形態２．
実施の形態２では、収納された箱状部品１を弾性部５と係合させて、位置決めを行う構造について示す。なお、実施の形態２におけるシャーシ２の構成は、図１，２に示す実施の形態１におけるシャーシ２の構成と同様であり、その説明を省略する。
【００１９】
箱状部品１の弾性部５側には、図５に示すように、弾性部５と係合し、シャーシ２の側板部間における箱状部品１の位置を決める係合凹部８が形成されている。これにより、図６に示すように、箱状部品１がシャーシ２に収納された際に弾性部５と係合凹部８とが係合される。そのため、図６の前後方向に対しては、箱状部品１が位置決め孔部３・位置決め突起部４間の係合および弾性部５・係合凹部８間の係合によって保持される。
【００２０】
以上のように、この実施の形態２によれば、箱状部品１に、弾性部５と係合し、シャーシ２の側板部間における箱状部品１の位置を決める係合凹部８を形成したので、実施の形態１における効果に加えて、より安定した固定を行うことができる。
【００２１】
実施の形態３．
実施の形態３では、箱状部品１の設置面とシャーシ２の底板部とで箱状部品１を位置決めする構造について示す。
箱状部品１の設置面には、図７に示すように、位置決め孔部（第２位置決め係合部）９が形成されている。なお、この位置決め孔部９は、箱状部品１に元々形成されている穴や窪み等を利用してもよいし、新たに加工するようにしてもよい。
また、シャーシ２の第１，２下受け部６，７には、図８に示すように、位置決め孔部９と係合する位置決め凸部（第２シャーシ側係合部）１０が形成されている。
これにより、図９に示すように、箱状部品１がシャーシ２に収納された際に、位置決め孔部９と位置決め凸部１０とが係合され、箱状部品１を位置決めすることができる。
【００２２】
以上のように、この実施の形態３によれば、第１，２下受け部６，７に、箱状部品１の設置面に形成された位置決め孔部９と係合する位置決め凸部１０を形成したので、実施の形態１における効果に加えて、より安定した固定を行うことができる。
【００２３】
なお、実施の形態３では、第２位置決め係合部は、箱状部品１の設置面に形成された位置決め孔部９であり、第２シャーシ側係合部は、第１，２下受け部６，７に形成された位置決め凸部１０であるとして説明を行ったが、第２位置決め係合部として、箱状部品１に位置決め凸部を形成し、第２シャーシ側係合部として、第１，２下受け部６，７に、この位置決め凸部と係合する位置決め孔部を形成するようにしてもよい。
また、実施の形態３では、第１，２下受け部６，７に位置決め凸部（第２シャーシ側係合部）１０を形成する場合について示したが、第１，２下受け部６，７上ではなく、シャーシ２の底板部上に第２シャーシ側係合部を形成してもよい。
【００２４】
実施の形態４．
実施の形態４では、箱状部品１をシャーシ２に収納する際に箱状部品１をガイドする形状を設けた構造について示す。なお、実施の形態４における箱状部品１の構成は、図１に示す実施の形態１における箱状部品１の構成と同様であり、その説明を省略する。
【００２５】
シャーシ２の第１側板部には、図１０に示すように、箱状部品１の側面に当接して、箱状部品１をシャーシ２に収納する方向（図１０の前後方向）にガイドするガイド部１１が形成されている。このガイド部１１は、第１側板部から切り起こされて形成され、先端側には、外側に折り曲げられた折り曲げ部１１ａが形成されている。
これにより、図１１に示すように、箱状部品１をシャーシ２に収納する際に、箱状部品１の前後方向に対する位置決めを容易に行うことができ、位置決め孔部３を位置決め突起部４に容易に係合させることができる。また、折り曲げ部１１ａを形成して、ガイド部１１の先端側を幅広にすることで、箱状部品１をガイド部１１側に導きやすくすることができる。また、ガイド部１１によって、収納後に、箱状部品１が前後方向にずれることを防止することができる。
【００２６】
以上のように、この実施の形態４によれば、シャーシ２の第１側板部に、箱状部品１の側面に当接して、箱状部品１をシャーシ２に収納する方向にガイドするガイド部１１を形成したので、実施の形態１における効果に加えて、箱状部品１のシャーシ２への収納がさらに容易となる。また、ガイド部１１によって、収納後に箱状部品１を位置決めすることができるため、より安定した固定を行うことができる。
【００２７】
実施の形態５．
実施の形態５では、箱状部品１がシャーシ２の側板部間に保持固定された後、弾性部５を上から押さえ付けて弾性をなくすことで、箱状部品１を堅固に固定する構造について示す。なお、実施の形態５における箱状部品１およびシャーシ２の構成は、図１に示す実施の形態１における箱状部品１およびシャーシ２の構成と同様であり、その説明を省略する。
【００２８】
箱状部品１を保持固定したシャーシ２の上部には、図１２に示すように、天板部１２が覆い被せられ、ネジ等により固定されている。この天板部１２は、弾性部５を箱状部品１側に押さえ付けることで、弾性部５の弾性をなくすものである。これにより、振動等に伴う弾性部５の弾性によって箱状部品１が上下方向にがたつくことがなくなり、箱状部品１を強固に固定することができる。
【００２９】
以上のように、この実施の形態５によれば、弾性部５を箱状部品１側に押さえ付けて、シャーシ２の側板部間に保持固定された箱状部品１を覆う天板部１２をさらに設けたので、実施の形態１における効果に加えて、箱状部品１を堅固に固定することができる。
【００３０】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３１】
１  箱状部品、２  シャーシ、３  位置決め孔部（位置決め係合部）、４  位置決め突起部（シャーシ側係合部）、４ａ  テーパ状、５  弾性部、６  第１下受け部、７  第２下受け部、８  係合凹部、９  位置決め孔部（第２位置決め係合部）、１０  位置決め凸部（第２シャーシ側係合部）、１１  ガイド部、１１ａ  折り曲げ部、１２  天板部。
【手続補正２】
【補正対象書類名】特許請求の範囲
【補正対象項目名】全文
【補正方法】変更
【補正の内容】
【特許請求の範囲】
【請求項１】
底板部と前記底板部の両側に相互に対向して設けられた側板部とを有するシャーシと、側面に位置決め穴を有し、かつ前記シャーシの側板部間に保持固定される箱状部品とを備えた箱状部品固定構造において、
前記箱状部品の一側面に設けられた位置決め係合部と、
前記シャーシの一方の側板部に設けられ、前記位置決め係合部と係合するシャーシ側係合部と、
前記シャーシのもう一方の側板部に設けられ、前記箱状部品を前記シャーシの一方の側板部側および前記底板部側にそれぞれ付勢する弾性部と
を備えたことを特徴とする箱状部品固定構造。
【請求項２】
前記位置決め係合部は、前記箱状部品の一側面に設けられた孔部であり、
前記シャーシ側係合部は、前記底板部側が先端に向けて細くなるテーパ状の突起部である
ことを特徴とする請求項１記載の箱状部品固定構造。
【請求項３】
前記シャーシ側係合部は、前記シャーシの一方の側板部に設けられた孔部であり、
前記位置決め係合部は、前記シャーシの底板部に面する側が先端に向けて細くなるテーパ状の突起部である
ことを特徴とする請求項１記載の箱状部品固定構造。
【請求項４】
前記底板部の前記シャーシ側係合部側に突出して設けられ、前記箱状部品の前記底板部に対向する面に当接して、前記位置決め係合部を当該シャーシ側係合部側にガイドする第１下受け部と、
前記底板部の前記弾性部側に突出して設けられ、当該弾性部により付勢された箱状部品を前記底板部側から支持する第２下受け部とを備えた
ことを特徴とする請求項１記載の箱状部品固定構造。
【請求項５】
前記箱状部品に設けられ、前記弾性部と係合して前記シャーシの底板部間における当該箱状部品の位置を決める係合凹部を備えた
ことを特徴とする請求項１記載の箱状部品固定構造。
【請求項６】
前記箱状部品の前記底板部に対向する面に設けられた第２位置決め係合部と、
前記底板部に設けられ、前記第２位置決め係合部と係合する第２シャーシ側係合部とを備えた
ことを特徴とする請求項１記載の箱状部品固定構造。
【請求項７】
前記シャーシ側係合部を有する側板部に設けられ、前記箱状部品の側面に当接して、前記箱状部品を前記シャーシに収納する方向にガイドするガイド板部を備えた
ことを特徴とする請求項１記載の箱状部品固定構造。
【請求項８】
前記弾性部を前記箱状部品側に押さえ付けて、前記シャーシの側板部間に保持固定された当該箱状部品を覆う天板部を備えた
ことを特徴とする請求項１記載の箱状部品固定構造。
【手続補正書】
【提出日】平成25年9月19日(2013.9.19)
【手続補正１】
【補正対象書類名】明細書
【補正対象項目名】００１０
【補正方法】変更
【補正の内容】
【００１０】
この発明に係る箱状部品固定構造は、前記箱状部品の一側面に設けられた位置決め穴を有する位置決め係合部と、前記シャーシの一方の側板部に設けられ、前記位置決め係合部と係合するシャーシ側係合部と、前記シャーシのもう一方の側板部に設けられ、前記箱状部品を前記シャーシの一方の側板部側および前記底板部側にそれぞれ付勢する弾性部と、前記シャーシ側係合部を有する側板部に設けられ、前記箱状部品の側面に当接して、前記箱状部品を前記シャーシに収納する方向にガイドするガイド板部を備えたものである。
【手続補正２】
【補正対象書類名】特許請求の範囲
【補正対象項目名】全文
【補正方法】変更
【補正の内容】
【特許請求の範囲】
【請求項１】
底板部と前記底板部の両側に相互に対向して設けられた側板部とを有するシャーシと、前記シャーシの側板部間に保持固定される箱状部品とを備えた箱状部品固定構造において、
前記箱状部品の一側面に設けられた位置決め穴を有する位置決め係合部と、
前記シャーシの一方の側板部に設けられ、前記位置決め係合部と係合するシャーシ側係合部と、
前記シャーシのもう一方の側板部に設けられ、前記箱状部品を前記シャーシの一方の側板部側および前記底板部側にそれぞれ付勢する弾性部と、
前記シャーシ側係合部を有する側板部に設けられ、前記箱状部品の側面に当接して、前記箱状部品を前記シャーシに収納する方向にガイドするガイド板部を備えた
ことを特徴とする箱状部品固定構造。
【請求項２】
前記シャーシ側係合部は、前記底板部側が先端に向けて細くなるテーパ状の突起部である
ことを特徴とする請求項１記載の箱状部品固定構造。
【請求項３】
前記底板部の前記シャーシ側係合部側に突出して設けられ、前記箱状部品の前記底板部に対向する面に当接して、前記位置決め係合部を当該シャーシ側係合部側にガイドする第１下受け部と、
前記底板部の前記弾性部側に突出して設けられ、当該弾性部により付勢された箱状部品を前記底板部側から支持する第２下受け部とを備えた
ことを特徴とする請求項１記載の箱状部品固定構造。
【請求項４】
前記箱状部品に設けられ、前記弾性部と係合して前記シャーシの底板部間における当該箱状部品の位置を決める係合凹部を備えた
ことを特徴とする請求項１記載の箱状部品固定構造。
【請求項５】
前記箱状部品の前記底板部に対向する面に設けられた第２位置決め係合部と、
前記底板部に設けられ、前記第２位置決め係合部と係合する第２シャーシ側係合部とを備えた
ことを特徴とする請求項１記載の箱状部品固定構造。
【請求項６】
前記弾性部を前記箱状部品側に押さえ付けて、前記シャーシの側板部間に保持固定された当該箱状部品を覆う天板部を備えた
ことを特徴とする請求項１記載の箱状部品固定構造。
【国際調査報告】
2012131778.tif 000015
2012131778.tif 000016
2012131778.tif 000017
2012131778.tif 000018